(57)【要約】【課題】冷却効果の低下が生じにくい画像表示装置を提供すること。【解決手段】入力する画像情報に応じた画像を表示する表示手段４２と、装置全体を制御する制御基板４６と、外部の空気を吸排気する吸気口４１５Ａおよび排気口４１１Ａが形成されたフレーム４１と、吸気口４１５Ａから導入した空気を排気口４１１Ａから排出し、かつ、空気の流路に設けられた制御基板４６の下流側に配置されるファン４３とを備える。制御基板４６は、ファン４３の回転速度を変化させるファン駆動制御部を有する。従って、ファン駆動制御部によりファン４３の回転速度が変化するので、フレーム４１内に侵入した異物がフレーム４１内の特定箇所に堆積することを抑制することができ、異物の堆積によるファン４３の冷却効果の低下を生じにくくすることができる。【選択図】図４
2008167874.tif 000002
【特許請求の範囲】
【請求項１】
入力する画像情報に応じた画像を表示する表示手段と、回路素子が実装され、装置全体を制御する制御基板と、前記表示手段および前記制御基板を内部に収納し、かつ、外部の空気を導入する吸気口および内部の空気を排出する排気口が形成された筐体とを備えた画像表示装置であって、
前記吸気口から導入した空気を前記排気口から排出し、かつ、前記空気の流路上に設けられた所定の冷却対象の上流側および下流側の少なくともいずれかに配置されるファンを備え、
前記制御基板は、前記ファンの回転速度を変化させて当該ファンの駆動を制御するファン駆動制御部を有することを特徴とする画像表示装置。
【請求項２】
請求項１に記載の画像表示装置において、
前記ファンの駆動時間と、前記ファンの回転速度に係る駆動情報とが関連付けて記憶された記憶手段を備え、
前記ファン駆動制御部は、
前記ファンの駆動時間を計時する計時部と、
前記駆動時間に応じた前記駆動情報を取得する駆動情報取得部とを備え、
前記ファン駆動制御部は、取得された前記駆動情報に基づいて、前記ファンの駆動を制御することを特徴とする画像表示装置。
【請求項３】
請求項１または請求項２に記載の画像表示装置において、
前記ファン駆動制御部は、前記ファンの回転速度を周期的に変化させることを特徴とする画像表示装置。
【請求項４】
請求項３に記載の画像表示装置において、
前記ファン駆動制御部は、前記ファンの回転速度を所定期間毎に変化させることを特徴とする画像表示装置。
【請求項５】
請求項１または請求項２に記載の画像表示装置において、
前記ファン駆動制御部は、前記ファンの回転速度をランダムに変化させることを特徴とする画像表示装置。
【請求項６】
請求項１ないし請求項５のいずれかに記載の画像表示装置を備えることを特徴とする遊技機。
【請求項７】
入力する画像情報に応じた画像を表示する表示手段と、回路素子が実装され、装置全体を制御する制御基板と、前記表示手段および前記制御基板を内部に収納し、かつ、外部の空気を導入する吸気口および内部の空気を排出する排気口が形成された筐体と、前記吸気口から導入した空気を前記排気口から排出するファンとを備えた画像表示装置に用いられ、前記ファンの駆動を制御するファン駆動制御方法であって、
前記ファンは、前記空気の流路上に設けられた所定の冷却対象の上流側および下流側の少なくともいずれかに配置され、
前記ファンの駆動時間と、当該駆動時間に応じて変化する前記ファンの回転速度に係る駆動情報とが関連付けて記憶された記憶手段とを備え、
前記ファン駆動制御方法は、
前記ファンの駆動時間を計時する計時ステップと、
前記ファンの駆動時間に応じた前記駆動情報を、前記記憶手段から取得する駆動情報取得ステップと、
取得された前記駆動情報に基づいて前記ファンを駆動するファン駆動ステップとを有することを特徴とするファン駆動制御方法。
【請求項８】
入力する画像情報に応じた画像を表示する表示手段と、回路素子が実装され、装置全体を制御する制御基板と、前記表示手段および前記制御基板を内部に収納し、かつ、外部の空気を導入する吸気口および内部の空気を排出する排気口が形成された筐体と、前記吸気口から導入した空気を前記排気口から排出するファンとを備えた画像表示装置の前記制御基板により実行され、前記ファンの駆動を制御するファン駆動制御プログラムであって、
前記ファンは、前記空気の流路上に設けられた所定の冷却対象の上流側および下流側の少なくともいずれかに配置され、
前記ファンの駆動時間と、当該駆動時間に応じて変化する前記ファンの回転速度に係る駆動情報とが関連付けて記憶された記憶手段とを備え、
前記制御基板に、
前記ファンの駆動時間を計時する計時ステップと、
前記ファンの駆動時間に応じた前記駆動情報を、前記記憶手段から取得する駆動情報取得ステップと、
取得された前記駆動情報に基づいて前記ファンを駆動するファン駆動ステップとを実行させることを特徴とするファン駆動制御プログラム。
【請求項９】
請求項８に記載のファン駆動制御プログラムをコンピュータ読取可能に記録したことを特徴とする記録媒体。
【発明の詳細な説明】
【技術分野】
【０００１】
本発明は、画像を表示する画像表示装置、当該画像表示装置を備えた遊技機、当該画像表示装置に用いられ、当該画像表示装置に設けられるファンの駆動を制御するファン駆動制御方法、ファン駆動制御プログラム、および、記録媒体に関する。
【背景技術】
【０００２】
従来、遊技機として、遊技盤に設けられた入賞口に遊技球が入賞すると、当該入賞した遊技球の球数に応じて遊技球を払い出すパチンコ機や、抽選動作を停止させて、所定の絵柄が揃った場合に所定枚数のコインを払い出すパチスロ機等が知られている。このようなパチンコ機として、液晶表示装置などの画像表示装置を備えたものが知られている（例えば、特許文献１参照）。
【０００３】
この特許文献１に記載の画像表示装置は、画像表示領域を有する液晶パネルと、バックライトユニットと、制御基板とが筐体内に収納されたユニットとして構成されている。これらのバックライトおよび制御基板は、画像表示装置を使用する際に熱を発生し、筐体内の空気の温度が上昇する。このような場合に、自然対流による換気によって、筐体内部の温度上昇した空気を排熱し切れないと、内部のデバイスの温度が上がり過ぎて、誤動作を起こす可能性がある。このような問題に対して、熱源からの発熱量が所定量より大きい場合には、冷却ファンを設けて筐体内の熱を帯びた空気を排出する強制換気を行う構成が提案されている。
【０００４】
【特許文献１】特開２００６−１２２５７７号公報
【発明の開示】
【発明が解決しようとする課題】
【０００５】
しかしながら、前述の冷却ファンが設けられた画像表示装置では、冷却ファンにより異物（ごみ、粉塵、埃等）が筐体の開口等から内部に吸引されてしまう可能性がある。さらに、一定の回転速度で冷却ファンが駆動される場合には、冷却ファンによる筐体内での空気の流路および流速が一定となるので、筐体内に侵入した異物が特定箇所に堆積してしまう。すなわち、筐体内の部品等の形状に応じて空気の流路が形成されるため、空気の流路および流速が一定の状態では、当該流路上のある位置では異物が運搬され易く、別の位置では異物が堆積し易くなり、特定箇所に異物が溜まり続けてしまう。特に、異物が制御基板やバックライトユニットのような熱を発生する部分に堆積した場合には、異物により放熱が抑制されてしまい、冷却ファンによる冷却効率が大きく低下してしまう可能性がある。
【０００６】
このような問題を解決する方法として、画像表示装置の内部を掃除して堆積した異物を除去することが考えられるが、装置内部を製造時の状態に維持するために、筐体内部を開放しにくく構成されている場合、別の手段を設けて堆積した異物を除去する必要があり、画像表示装置が複雑で大きくなってしまうという問題があった。
【０００７】
本発明の目的は、冷却効果の低下が生じにくい画像表示装置、遊技機、ファン駆動制御方法、ファン駆動制御プログラムおよび記録媒体を提供することである。
【課題を解決するための手段】
【０００８】
前記した目的を達成するために、本発明の画像表示装置は、入力する画像情報に応じた画像を表示する表示手段と、回路素子が実装され、装置全体を制御する制御基板と、前記表示手段および前記制御基板を内部に収納し、かつ、外部の空気を導入する吸気口および内部の空気を排出する排気口が形成された筐体とを備えた画像表示装置であって、前記吸気口から導入した空気を前記排気口から排出し、かつ、前記空気の流路上に設けられた所定の冷却対象の上流側および下流側の少なくともいずれかに配置されるファンを備え、前記制御基板は、前記ファンの回転速度を変化させて当該ファンの駆動を制御するファン駆動制御部を有することを特徴とする。
【０００９】
ここで、流路とは、ファンによって筐体内に吸い込まれた空気が筐体内部を流れる経路のことを指す。
この発明によれば、ファンによって吸気口から導入された空気は、回路素子が実装されたことで凹凸を有する制御基板の当該凹凸の形状に沿って流通することで、制御基板や表示手段を冷却することができる。
ここで、ファンが一定の回転速度で駆動された場合には、ファンによる筐体内での空気の流路および流速が一定となるので、筐体内に侵入した異物が特定箇所、例えば、制御基板に実装された回路素子の角部や当該回路素子の陰となる部分等に堆積し、部分的に特徴的な異物の堆積が生じてしまう。この部分的に特徴的な異物の堆積としては、例えば、回路素子の角部の上流側に繊維質状の異物が引っ掛かることにより堆積される異物の堆積、あるいは、回路素子の角部の下流側で異物が運搬されにくい部分に堆積する砂状の異物の堆積等がある。
【００１０】
これに対し、本発明では、制御基板のファン駆動制御部が、ファンの回転速度を変化させることにより、ファンによる空気の流路および流速を変化させることができ、これによって異物が堆積し易い部分を変えることができる。例えば、ファンの回転速度が大きい状態では、空気の流速も大きいので、繊維質状の異物等が回路素子の角部に引っ掛かりにくくすることができ、また、ファンの回転速度が小さい状態では、空気の流速が小さいので、回路素子の形状に沿った流路が形状され易くなり、砂上の異物等が回路素子の角部の下流側に堆積しにくくすることができる。このように、ファンの回転速度が変化することで、部分的に特徴的な異物の堆積を抑制することができる。また、異物が堆積するとしても、堆積する量を減少させることができる。従って、制御基板や表示手段のように熱を発生する部分からの放熱が異物によって抑制されることがなくなり、ファンによる筐体内の冷却効果の低下を生じにくくすることができる。
【００１１】
本発明の画像表示装置では、前記ファンの駆動時間と、前記ファンの回転速度に係る駆動情報とが関連付けて記憶された記憶手段を備え、前記ファン駆動制御部は、前記ファンの駆動時間を計時する計時部と、前記駆動時間に応じた前記駆動情報を取得する駆動情報取得部とを備え、前記ファン駆動制御部は、取得された前記駆動情報に基づいて、前記ファンの駆動を制御することが好ましい。
【００１２】
この発明によれば、計時部がファンの駆動時間を計時し、駆動情報取得部がファンの駆動時間に応じたファンの回転速度に係る駆動情報を記憶手段から取得する。そして、ファン駆動制御部が、取得された駆動情報に基づいて、ファンの駆動を制御する。このようにファン駆動制御部が、ファンの回転速度を変化させるので、ファンによる空気の流路および流速を確実に変化させることができ、特定箇所に異物が堆積することを抑制することができる。従って、異物を除去するための他の手段を設ける必要がなく、異物による冷却効率の低下を防止することができる。また、記憶手段を備えたので、記憶手段の駆動情報を変更することで、ファンの駆動状態を容易に変更することができる。
【００１３】
本発明の画像表示装置では、前記ファン駆動制御部は、前記ファンの回転速度を周期的に変化させることが好ましい。
この発明によれば、ファン駆動制御部がファンの回転速度を周期的に変化させることにより、ファンによる空気の流速の早い状態と遅い状態とが規則的に変化し、異物の堆積し易い箇所を確実に変化させることができる。従って、異物が特定の箇所に堆積することを十分に抑制することができる。また、ファンの回転速度を周期的に変化させればよいので、１周期分の回転速度の変化パターンを設定すれば、この変化パターンを繰り返すだけでよいので、ファン駆動制御部の構成を簡略化することができる。
【００１４】
また、本発明の画像表示装置では、前記ファン駆動制御部は、前記ファンの回転速度を所定期間毎に変化させることが好ましい。
この発明によれば、ファン駆動制御部がファンの回転速度を所定期間毎に変化させることにより、所定期間内ではファンの回転速度が一定となるので、ファンの回転速度が変化する際に生じるファンの騒音を抑制することができる。また、ファン駆動制御部がファンの回転速度を連続して変化させる場合には、ファンに印加させるファン電圧を常に変更させる制御が必要になるが、本発明では、所定期間内ではファンの回転速度が一定となるので、ファン電圧を常に変更させる必要がなく、ファン駆動制御部の構成をさらに簡略化することができる。
【００１５】
本発明の画像表示装置では、前記ファン駆動制御部は、前記ファンの回転速度をランダムに変化させることが好ましい。
この発明によれば、ファン駆動制御部がファンの回転速度をランダムに変化させることにより、異物を特定箇所に堆積することを効果的に抑制することができる。すなわち、ファンの回転速度をランダムに変化させることによって、ファンによる空気の流路および流速の変化に周期性が生じないようにすることができ、ファンの回転速度を周期的に変化させる場合であっても堆積してしまうような僅かな異物をも堆積しにくくすることができる。
【００１６】
一方、本発明の遊技機は、前述の画像表示装置を備えることを特徴とする。
ここで、遊技機としては、パチンコ機、パチスロ機、ピンボール機およびアレンジボール機等を例示することができる。
この発明によれば、前述の画像表示装置と同様の効果を奏することができるほか、以下の効果を奏することができる。
すなわち、遊技機に用いられる画像表示装置では、画像表示装置の筐体内部を開放しにくくなっている場合があり、筐体内部に溜まった異物等を容易に取り除くことができない場合がある。これに対し、前述の画像表示装置を遊技機に採用することにより、ファンの回転速度を変化させて、異物が画像表示装置内の特定の箇所に堆積しにくくすることができる。これにより、異物を除去する他の手段を設ける必要がなくなり、画像表示装置の構造が複雑で大きくなってしまうということを回避することができる。
【００１７】
また、遊技機の画像表示装置の構成や表示条件（表示画面の面積や画素数、表示切替速度等）が変更されると、制御基板等の放熱量が増えるため、ファンの寸法や回転速度を大きくして筐体内部に導入する空気の量が増やす必要が生じる。このため、筐体に形成する吸気口の開口面積も大きくする必要が生じ、吸気口から筐体内部に異物が侵入し易くなってしまう。このような場合であっても、前述の画像表示装置を遊技機に採用することにより、ファンの回転速度を変化させて、異物が特定の箇所に堆積しにくくすることができるので、画像表示装置の構成や表示条件を変更しても、異物の堆積による冷却効率の低下などの問題を回避することができる。
【００１８】
また、本発明のファン駆動制御方法は、入力する画像情報に応じた画像を表示する表示手段と、回路素子が実装され、装置全体を制御する制御基板と、前記表示手段および前記制御基板を内部に収納し、かつ、外部の空気を導入する吸気口および内部の空気を排出する排気口が形成された筐体と、前記吸気口から導入した空気を前記排気口から排出するファンとを備えた画像表示装置に用いられ、前記ファンの駆動を制御するファン駆動制御方法であって、前記ファンは、前記空気の流路上に設けられた所定の冷却対象の上流側および下流側の少なくともいずれかに配置され、前記ファンの駆動時間と、当該駆動時間に応じて変化する前記ファンの回転速度に係る駆動情報とが関連付けて記憶された記憶手段とを備え、前記ファン駆動制御方法は、前記ファンの駆動時間を計時する計時ステップと、前記ファンの駆動時間に応じた前記駆動情報を、前記記憶手段から取得する駆動情報取得ステップと、取得された前記駆動情報に基づいて前記ファンを駆動するファン駆動ステップとを有することを特徴とする。
【００１９】
この発明によれば、前述の記憶手段を備えた画像表示装置と同様の効果を奏することができる。
すなわち、計時ステップにて、ファンの駆動時間を計時し、駆動情報取得ステップにて、ファンの駆動時間に応じて変化するファンの回転速度に係る駆動情報を記憶手段から取得する。そして、ファン駆動ステップにて、取得された駆動情報に基づいて、ファンを駆動する。
これによれば、ファンの回転速度が変化するので、ファンによる空気の流路および流速が変化し、特定箇所に異物が堆積することを抑制することができる。従って、異物を除去するための他の手段を設ける必要がなく、異物による冷却効率の低下が生じにくくすることができる。また、ファンの回転速度は、記憶手段に記憶された駆動情報に基づいて設定されるので、複雑な演算処理を必要とすることなく、ファンの回転速度を容易に設定することができる。
【００２０】
また、本発明のファン駆動制御プログラムは、入力する画像情報に応じた画像を表示する表示手段と、回路素子が実装され、装置全体を制御する制御基板と、前記表示手段および前記制御基板を内部に収納し、かつ、外部の空気を導入する吸気口および内部の空気を排出する排気口が形成された筐体と、前記吸気口から導入した空気を前記排気口から排出するファンとを備えた画像表示装置の前記制御基板により実行され、前記ファンの駆動を制御するファン駆動制御プログラムであって、前記ファンは、前記空気の流路上に設けられた所定の冷却対象の上流側および下流側の少なくともいずれかに配置され、前記ファンの駆動時間と、当該駆動時間に応じて変化する前記ファンの回転速度に係る駆動情報とが関連付けて記憶された記憶手段とを備え、前記制御基板に、前記ファンの駆動時間を計時する計時ステップと、前記ファンの駆動時間に応じた前記駆動情報を、前記記憶手段から取得する駆動情報取得ステップと、取得された前記駆動情報に基づいて前記ファンを駆動するファン駆動ステップとを実行させることを特徴とする。
【００２１】
この発明によれば、前述のファン駆動制御方法と同様の効果を奏することができる。
すなわち、ファン駆動制御プログラムを実行することにより、計時ステップにて、ファンの駆動時間が計時され、駆動情報取得ステップにて、ファンの駆動時間に応じて変化するファンの回転速度に係る駆動情報が記憶手段から取得される。そして、ファン駆動ステップにて、取得された駆動情報に基づいて、ファンの駆動が行われる。
これによれば、ファンの回転速度が変化するので、ファンによる空気の流路および流速が変化し、特定箇所に異物が堆積することを抑制することができる。従って、異物を除去するための他の手段を設ける必要がなく、異物による冷却効率の低下が生じにくくすることができる。
【００２２】
また、本発明の記録媒体は、前述のファン駆動制御プログラムをコンピュータ読取可能に記録したことを特徴とする。
この発明によれば、当該記録媒体に記録されたファン駆動制御プログラムを読み取って実行することにより、前述のファン駆動制御プログラムと同様の効果を奏することができる。
また、記録媒体として、ＤＡＴ（Digital Audio Tape）等の磁気テープ、ＦＤ（Flexible Disc）等の磁気ディスク、ＣＤ（Compact Disc）およびＤＶＤ（Digital Versatile Disc）等の光ディスク、光磁気ディスク、ハードディスク装置、および、半導体メモリ等を用いることができ、これらを利用して、前述のファン駆動制御プログラムをインストール、実行および配布することができる。
【発明を実施するための最良の形態】
【００２３】
〔１．第１実施形態〕
以下、本発明の第１実施形態を図面に基づいて説明する。
〔パチンコ機１の外観構成〕
図１は、本実施形態のパチンコ機１の外観を示す斜視図である。
本実施形態のパチンコ機１は、本発明の遊技機に相当し、遊技者の操作により、遊技球を遊技盤上に射出して、当該遊技球が遊技盤に設けられた入賞口等に入賞した場合に、所定数の遊技球を払い出すものである。このパチンコ機１は、図１に示すように、枠体２と、当該枠体２内に収納される遊技機本体３とを備えて構成されている。
遊技機本体３は、前面側に取り付けられ、遊技球が落下しつつ移動する遊技盤３１と、遊技盤３１の全面を覆う透光板を有する前扉３２と、遊技球を発射するためのハンドル３３とを備えて構成されている。また、遊技機本体３には、当該パチンコ機１全体を制御する制御装置（図示省略）が設けられている。遊技盤３１における略中央には、後述する画像表示装置４が露出する横長で略長方形状の開口部３１Ａが形成されている。
【００２４】
〔画像表示装置４の構成〕
図２は、遊技盤３１の裏側に取り付けられる画像表示装置４を示す概略斜視図である。また、図３は、画像表示装置４の構成を示す縦断面図であり、図４は、画像表示装置４の構成を示すとともに、当該画像表示装置４の裏側における縦断面で示す斜視図である。
画像表示装置４は、図２に示すように、遊技盤３１の開口部３１Ａに対して遊技盤３１の背面側から取り付けられている。
【００２５】
この画像表示装置４は、図３および図４に示すように、表示手段４２と、ファン４３と、画像表示装置４全体を制御する制御基板４６と、これらを内部に収納する筐体としての略直方体状のフレーム４１とを有して構成されている。
表示手段４２は、液晶パネル４４と、この液晶パネル４４に重ね合わされるように配置されるバックライトユニット４５とを有して構成されている。このうち液晶パネル４４は、一対の透明ガラス基板に電気光学物質である液晶が密閉封入された構成を有する。そして、液晶パネル４４は、バックライトユニット４５から射出された放電光を変調して、制御基板４６から入力する画像信号に応じた画像を形成表示する。すなわち、本実施形態での画像表示装置４は、液晶表示装置として構成されている。
【００２６】
フレーム４１には、上面部４１１、正面部４１２、背面部４１３（図４では図示省略）、左右の両側面部４１４および底面部４１５が形成されている。正面部４１２には、液晶パネル４４が露出する開口部４１２Ａ（図３）が形成されている。底面部４１５には、フレーム４１外の空気を導入する２つの横長略矩形状の吸気口４１５Ａが形成されている。上面部４１１の略中央には、上方に延設されたファン収納部４１１Ｂが形成され、ファン収納部４１１Ｂの内部にはフレーム４１内部の空気を吸引するファン４３が収納されている。このファン収納部４１１Ｂの上方にはファン４３によりフレーム４１内の空気を排出する円形状の排気口４１１Ａが形成されている。このようにファン４３は、排気口４１１Ａの近傍に設けられている。なお、フレーム４１に形成される吸気口４１５Ａおよび排気口４１１Ａのような開口部は、これらの開口部から指または工具などを差し入れて内部を改造しにくいように形成されている。このため、フレーム４１は、内部を掃除しにくくなっている。
【００２７】
ファン４３は、後述するファン駆動制御部５３によって駆動を制御される冷却手段であり、制御基板４６等の冷却対象の下流側に配置されている。このファン４３は、フレーム４１に形成された吸気口４１５Ａから導入され、かつ、フレーム４１内を流通して冷却対象を冷却した空気を排気口４１１Ａからフレーム４１外に排出する。冷却対象としては、制御基板４６の他に、バックライトユニット４５等が挙げられる。
【００２８】
これら液晶パネル４４、バックライトユニット４５および制御基板４６は、遊技盤３１に近接する方向、すなわち、遊技者が観察する方向から順に、それぞれがフレーム４１内に配置されている。なお、液晶パネル４４とバックライトユニット４５とは、互いに組み合わさった状態でフレーム４１内に取り付けられている。また、フレーム４１には、正面部４１２の開口部４１２Ａを外側から覆うように透光性を有するカバーガラス４７が貼り付けられている。
【００２９】
〔制御基板４６の構成〕
制御基板４６は、表示手段４２およびファン４３を制御するものであり、表示手段４２と所定幅の隙間を有するようにフレーム４１の内部に固定されている。すなわち、図３に示すように、制御基板４６は、短柱状の支持部材４８を介してフレーム４１の背面部４１３に固定されている。制御基板４６の表面にはＣＰＵ（Central Processing Unit）等の回路素子４６２が実装されている。
【００３０】
図５は、制御基板４６の構成を示すブロック図である。図５に示すように、制御基板４６は、パチンコ機１全体の制御装置から入力する制御信号に応じて後述するＣＧＲＯＭ５２に記憶された画像データを取得し、表示画像に係る画像情報を生成し、当該画像情報を表示手段４２に出力する。また、制御基板４６は、後述する記憶手段に記憶されたファン駆動情報に基づいてファン４３の駆動を制御して、ファン４３により吸引される空気によって冷却対象を冷却する。
【００３１】
このような制御基板４６は、表示手段４２の画像表示を制御する表示制御部５１と、表示手段４２にて表示される画像の画像データを記憶しているＣＧＲＯＭ（Character Generator Read Only Memory）５２と、ファン４３の駆動を制御するファン駆動制御部５３と、ファン４３の回転速度に関するファン駆動情報を記憶している記憶手段５４とを備えて構成され、これらは互いに電気的に接続されている。
【００３２】
表示制御部５１は、グラフィックスエンジンのようなグラフィックス処理を行うＧＰＵ（Graphics Processing Unit）等で構成され、ＣＧＲＯＭ５２に記憶された文字や絵柄等のキャラクタ情報および背景画像情報等の画像データを取得して、これらの画像データを基にして画像情報を生成し、当該画像情報を表示手段４２に出力する。
【００３３】
図６は、ファン駆動制御部５３の構成を示すブロック図である。ファン駆動制御部５３は、図６に示すように、計時部５３１と、駆動情報取得部５３２と、ファン駆動部５３３とを備えて構成されている。
計時部５３１は、ファン４３の駆動時間を計時して駆動時間を駆動情報取得部５３２に出力する計時手段である。
駆動情報取得部５３２は、計時部５３１からの駆動時間に基づいて、記憶手段５４に記憶されたファン４３の回転速度情報（駆動情報）を取得する。なお、詳しくは後述するが、回転速度情報は、ファン４３の駆動時間と回転速度情報とが関連付けられたルックアップテーブル（Look Up Table,以下、「ＬＵＴ」と略す場合がある）として記憶手段５４に記憶されているので、駆動時間に対応する回転速度情報を適宜取得することができる。
【００３４】
また、駆動情報取得部５３２は、取得した回転速度情報を当該回転速度情報に対応するファン電圧情報に変換し、このファン電圧情報をファン駆動部５３３に出力する。
ファン駆動部５３３は、ファン電圧情報に基づくファン電圧をファン４３に印加して、当該ファン４３を駆動させる。
【００３５】
〔記憶手段５４に記憶されたルックアップテーブル〕
次に、記憶手段５４に記憶されたファン４３の駆動時間と回転速度情報とが関連付けられたルックアップテーブル（ＬＵＴ）について、図面に基づいて説明する。図７は、ＬＵＴをファン４３の駆動時間と回転速度との関係を示す線図によって示したものである。
図７に示すように、ＬＵＴにおいて、ファン４３の回転速度は、ファン４３の駆動時間に応じて設定されており、具体的には、ファン４３の駆動時間に応じてサインカーブ状に変化するように設定されている。ファン４３の平均回転速度は１００ｒｐｍであり、最大回転速度と最小回転速度との差分は６０ｒｐｍとなるように設定されている。例えば、駆動時間が９０ｍｉｎにおいて、回転速度が最大回転速度１３０ｒｐｍとなり、駆動時間が２７０ｍｉｎにおいて、回転速度が最小回転速度７０ｒｐｍとなるように設定されている。
【００３６】
〔ファン駆動制御処理〕
次に、画像表示装置４のファン駆動制御処理について説明する。
図８は、ファン駆動制御処理の処理過程を示すフローチャートである。
制御基板４６は、使用者により図示しない電源キーが入力され、パチンコ機１の電源がオン状態となると、画像表示を実行するとともに、以下のファン駆動制御処理を実行する。なお、このような処理を実行するプログラムが記憶手段５４に記憶されている。
ファン駆動制御処理では、図８に示すように、まず、計時部５３１がファン４３の駆動時間を計時する（計時ステップＳ１）。
次に、駆動情報取得部５３２が、記憶手段５４のＬＵＴからファン４３の駆動時間に応じた回転速度情報を取得し、取得した回転速度情報をファン電圧情報に算出する（駆動情報取得ステップＳ２）。
次に、ファン駆動部５３３が、算出されたファン電圧情報に基づくファン電圧をファン４３に印加して、ファン４３を駆動する（ファン駆動ステップＳ３）。
このファン駆動制御処理は、パチンコ機１の駆動中は繰り返し実行される。
【００３７】
〔フレーム４１内の空気の流路〕
次に、画像表示装置４において、ファン４３の回転速度を変化させた場合におけるフレーム４１内の空気の流路の変化を説明する。図９は、異物Ａの堆積状態を説明する模式図である。ここで、異物Ａは、ファン４３によりフレーム４１の開口等から内部に吸引されたごみ、粉塵、埃等を示している。また、図４および図９中の２種類の矢印は、ファン４３の回転速度が高く、ファン４３による空気の流速が高い場合の第１流路Ｒ１（図中、実線で示す矢印）と、ファン４３の回転速度が低く、ファン４３による空気の流速が低い場合の第２流路Ｒ２（図中、一点鎖線で示す矢印）とを示している。
【００３８】
図９に示すように、ファン４３の回転速度が低い場合に、制御基板４６に実装された回路素子４６２の角部の上流側に繊維質状の異物Ａ１が引っ掛かったとしても、ファン４３の回転速度が高い場合に、空気の流速の高い第１流路Ｒ１が形成されるので、異物Ａ１が運搬される。
また、ファン４３の回転速度が高い場合に、回路素子４６２の角部の下流側に砂状の異物Ａ２が堆積したとしても、ファン４３の回転速度が低い場合に、空気の流速の低い第２流路Ｒ２が回路素子４６２の形状に沿って形成されるので、異物Ａ２が運搬される。
【００３９】
また、図４に示すように、第１流路Ｒ１は、流速が高いので、回路素子４６２の表面を乗り越える経路となる。これに対して、第２流路Ｒ２は、流速が低いので、回路素子４６２の側部を迂回する経路となる。
このように、ファン４３の回転速度を周期的に変化させることにより、第１流路Ｒ１と第２流路Ｒ２とが交互に発生するので、制御基板４６の回路素子４６２のような凹凸部に異物Ａ１，Ａ２が堆積することが抑制することができる。また、異物が堆積した場合であっても、図９に示すように、異物Ａの堆積量をファンの回転数が一定の場合の異物の堆積量に比べて減少させることができる。
【００４０】
上述した本実施形態によれば、次のような効果を奏することができる。
（１）制御基板４６にファン４３の回転速度を変化させるファン駆動制御部５３を設けたので、フレーム４１内に異物Ａ１，Ａ２が侵入しても、ファン４３により空気の流路が変化し、異物Ａ１，Ａ２がフレーム４１内の特定箇所に堆積することを抑制することができる。従って、パチンコ機１に用いられる画像表示装置４のように、画像表示装置４の内部を容易に掃除することができない構造の場合であっても、異物Ａ１，Ａ２の局所的な堆積による冷却効果の低下を生じにくくすることができる。また、異物Ａ１，Ａ２が制御基板４６の絶縁物上に堆積した状態が続かないので、異物Ａ１，Ａ２により絶縁物の炭化が誘発されることによる漏電（トラッキング現象）といった電気的な不具合を生じにくくすることができる。
【００４１】
（２）ファン駆動制御部５３がファン４３の回転速度を周期的に変化させるので、ファン４３の回転速度の変化に応じて空気の流速の高い第１流路Ｒ１と流速の低い第２流路Ｒ２とを交互に生じさせることができ、異物Ａ１，Ａ２の堆積を十分に抑制することができる。また、ファン４３の回転速度の１周期分の変化パターンを設定するだけでよく、ファン駆動制御部５３の構成を簡略化することができる。
【００４２】
（３）制御基板４６にファン４３の回転速度がファン４３の駆動時間に関連付けられて設定されている記憶手段５４が設けられているので、複雑な演算処理を必要とすることなく、周期的に変化するファンの回転速度を容易に設定することができる。
【００４３】
（４）ファン駆動制御部５３により１つのファン４３の回転速度を変化させて局所的な異物Ａ１，Ａ２の堆積を生じにくくすることができるので、回転速度が一定のファンを複数箇所に設ける場合と比べて、画像表示装置４の構造を簡略化することができ、製造コストを抑えることができる。
【００４４】
（５）ファン４３がフレーム４１の上面部４１１に配置され、ファン４３がフレーム４１内の空気を上方に向かって排気するので、内部を冷却して熱を帯びた空気の排出効率を良好にすることができる。
【００４５】
〔２．第２実施形態〕
次に、本発明の第２実施形態に係るパチンコ機について説明する。
本実施形態のパチンコ機は、前述のパチンコ機１と同様の構成を備えるが、第１実施形態では、記憶手段５４に記憶されたＬＵＴにおいて、ファン４３の回転速度が、ファン４３の駆動時間に応じてサインカーブ状に変化するように設定されていたのに対し、本実施形態のＬＵＴでは、ファン４３の回転速度が、ファン４３の所定駆動時間毎に変化するように設定されている点において相違する。
なお、本実施形態以降において、前述の第１実施形態で説明する構成部材と同じ構成部材、および同様な機能を有する構成部材には、第１実施形態の構成部材と同じ符号を付し、それらの説明を省略または簡単化する。
【００４６】
図１０は、本実施形態に係るファン４３のＬＵＴをファン４３の駆動時間と回転速度との関係を示す線図によって示したものである。
図１０に示すように、ファン４３は、回転速度が複数の段階で変化するように構成されている。すなわち、ファン４３の回転速度は、所定の駆動時間中は一定の回転速度に設定され、所定の駆動時間毎に、増減するように設定されている。ファン４３の平均回転速度は１００ｒｐｍであり、最大回転速度と最小回転速度との差分は、６０ｒｐｍとなるように設定されている。例えば、駆動時間が３０ｍｉｎを経過する毎に、回転速度が１０ｒｐｍ毎増減し、駆動時間が６０ｍｉｎ〜９０ｍｉｎとなる期間において、回転速度が最大回転速度１２０ｒｐｍとなり、駆動時間が２１０ｍｉｎ〜２４０ｍｉｎにおいて、回転速度が最小回転速度７０ｒｐｍとなるように設定されている。
【００４７】
このような本実施形態によれば、前術と略同様の効果に加えて以下の効果を奏することができる。
すなわち、本実施形態のようにＬＵＴを設定することによって、ファン駆動制御部５３がファン４３を所定の駆動時間中は一定の回転速度で駆動するので、ファン４３の回転速度が変化する際に生じるファン４３の騒音を抑制することができる。また、ファン駆動制御部５３がファン４３の回転速度を連続して変化させる場合よりも、ファン駆動制御部５３を簡単に構成することができる。
【００４８】
〔３．第３実施形態〕
次に、本発明の第３実施形態に係るパチンコ機について説明する。
本実施形態のパチンコ機は、前述のパチンコ機１と同様の構成を備えるが、本実施形態のＬＵＴでは、ファン４３の所定駆動時間中は、ファン４３の回転速度が上昇し続け、続けて所定駆動時間中は、回転速度が下降し続けるように設定されている点において相違する。
図１１は、本実施形態に係るファン４３のＬＵＴをファン４３の駆動時間と回転速度との関係を示す線図によって示したものである。
図１１に示すように、ファン４３の回転速度は、最大回転速度になるまで駆動時間に比例して直線的に増加し、最大回転速度に達した以降、最小回転速度になるまで駆動時間に比例して直線的に減少し、さらに、最大回転速度になるまで駆動時間に比例して増加するという周期を繰り返すように設定されている。ファン４３の平均回転速度は１００ｒｐｍであり、最大回転速度と最小回転速度との差分は、１２０ｒｐｍとなるように設定されている。例えば、駆動時間が６０ｍｉｎにおいて、回転速度が最大回転速度１６０ｒｐｍとなり、駆動時間が１８０ｍｉｎにおいて、回転速度が最小回転速度４０ｒｐｍとなるように設定されている。
【００４９】
〔４．第４実施形態〕
次に、本発明の第４実施形態に係るパチンコ機について説明する。
本実施形態のパチンコ機は、前述のパチンコ機１と同様の構成を備えるが、本実施形態では、ファン４３の回転速度がファン４３の所定駆動時間毎にランダムに変化するように設定されている点において相違する。
図１２は、本実施形態に係るファン４３がランダムに変化した場合のファン４３の駆動時間と回転速度との関係の一例を示すものである。
図１２に示すように、例えば、ファン４３の回転速度は、所定の駆動時間中は一定の回転速度に設定され、駆動時間が３０ｍｉｎを経過する毎に、異なる回転速度にランダムに変化するように設定されている。なお、回転速度は、最小回転速度７０ｒｐｍから最大回転速度１２０ｒｐｍまでの範囲において、ランダムに変化するように設定されている。
【００５０】
このような本実施形態によれば、前術と略同様の効果に加えて以下の効果を奏することができる。
すなわち、ファン４３の回転速度をランダムに変化させることによって、異物Ａ１，Ａ２の堆積をさらに効率的に分散させることができる。すなわち、ファン４３の回転速度の変化に周期性が生じないので、ファンの回転速度の変化に周期性がある場合に生じる僅かな異物の堆積も生じないようにすることができる。
【００５１】
〔５．本実施形態の変形〕
本発明を実施するための最良の構成などは、以上の記載で開示されているが、本発明はこれに限定されるものではない。すなわち、前記実施形態は、本発明を限定するものではないから、それらの形状、材質などの限定の一部若しくは全部の限定を外した部材の名称での記載は、本発明に含まれるものである。
【００５２】
前記実施形態では、記憶手段５４は、ファン４３の駆動時間と、ファン４３の回転速度情報とが関連付けて記憶されていたが、これに限らず、記憶手段は、ファンの回転速度情報に代えて、ファンの回転速度に対応したファン電圧情報が記憶されていてもよい。
【００５３】
前記実施形態では、ファン駆動制御部５３が制御基板４６に設けられていたが、これに限らず、ファン駆動制御部が制御基板と独立して設けられていてもよい。また、ファン駆動制御部をアナログ式の電気回路によって構成してもよい。
前記実施形態では、制御基板４６は単数の基板で構成されていたが、これに限らず、制御基板は、複数の基板で構成されてもよく、フレーム４１内における制御基板の配置位置についての制限はない。また、ファン、吸気口および排気口の設置箇所数および設置位置についての制限はない。
【００５４】
前記実施形態では、遊技機としてパチンコ機１を説明したが、これに限らず遊技機としてパチスロ機、ピンボール機およびアレンジボール機等を例示することができる。
前記実施形態では、画像表示装置４は遊技機としてのパチンコ機１に設けられるとしたが、これに限らず、画像表示装置は、遊技機に限らず、画像表示装置単体として用いることができるほか、自動販売機や自動券売機などのような電子機器の表示手段の一部として利用してもよく、画像表示装置を有する電子機器に適用してもよい。ただし、遊技機に用いられる画像表示装置のように、装置内部を容易に掃除できないように構成されている画像表示装置に適用されるのが効果的である。
【産業上の利用可能性】
【００５５】
本発明は、遊技機、およびその他の画像表示装置を有する電子機器などに利用することができる。
【図面の簡単な説明】
【００５６】
【図１】本発明の第１実施形態に係る遊技機の外観を示す斜視図。
【図２】前記実施形態における画像表示装置を示す概略斜視図。
【図３】前記実施形態における画像表示装置の構成を示す縦断面図。
【図４】前記実施形態における画像表示装置の構成を示す斜視図。
【図５】前記実施形態における画像表示装置の構成を示すブロック図。
【図６】前記実施形態における画像表示装置におけるファン駆動制御部の構成を示すブロック図。
【図７】前記実施形態における画像表示装置のファンの駆動時間と回転速度との関係を示す線図。
【図８】前記実施形態におけるファン駆動制御処理の処理過程を示すフローチャート。
【図９】前記実施形態における異物の堆積状態を説明する模式図。
【図１０】本発明の第２実施形態に係るファンの駆動時間と回転速度との関係を示す線図。
【図１１】本発明の第３実施形態に係るファンの駆動時間と回転速度との関係を示す線図。
【図１２】本発明の第４実施形態に係るファンの駆動時間と回転速度との関係を示す線図。
【符号の説明】
【００５７】
１…パチンコ機（遊技機）、４…画像表示装置、４１…フレーム（筐体）、４２…表示手段、４３…ファン、４６…制御基板、５３…ファン駆動制御部、５４…記憶手段、４１１Ａ…排気口、４１５Ａ…吸気口、４６２…回路素子、Ａ，Ａ１，Ａ２…異物、５３１…計時部、５３2…駆動情報取得部、Ｓ１…計時ステップ、Ｓ２…駆動情報取得ステップ、Ｓ３…ファン駆動ステップ。
【図１】
2008167874.tif 000003
【図２】
2008167874.tif 000004
【図３】
2008167874.tif 000005
【図４】
2008167874.tif 000006
【図５】
2008167874.tif 000007
【図６】
2008167874.tif 000008
【図７】
2008167874.tif 000009
【図８】
2008167874.tif 000010
【図９】
2008167874.tif 000011
【図１０】
2008167874.tif 000012
【図１１】
2008167874.tif 000013
【図１２】
2008167874.tif 000014